(57)【要約】      （修正有）【課題】シールドの角度を容易に調整することが可能で、帽子等があってもシールドの上向き角度を大きくすることができるフェイスシールドを提供する。【解決手段】眼鏡フレームのブリッジ１１からテンプル１２を模した支持枠体１０を構成する。ブリッジ側のテンプル外側面に嵌合凹部１３を形成し、嵌合凹部に嵌合する嵌合凸部２１を連結体２０に形成する。嵌合凸部が貫通する貫通孔３１をシールド３０に形成する。また、連結体に揺動自在に圧接する圧接部３２をシールドに形成する。圧接部が連結体に圧接してシールドの位置を固定する。【選択図】図４
0003231032.tif 000002
【実用新案登録請求の範囲】
【請求項１】
眼鏡フレームのブリッジからテンプルまでの構成を模した支持枠体と、該支持枠体の左右のテンプルのブリッジ側に装着された連結体と、該連結体に連結されるプラスチック製のシールドと、を備え、ブリッジ側のテンプル外側面に嵌合凹部を形成すると共に、嵌合凹部に嵌合する嵌合凸部を連結体に形成し、嵌合凸部が貫通する貫通孔を有するシールドをテンプルの外側面に着脱自在に連結するフェイスシールドにおいて、
前記嵌合凸部が貫通した前記貫通孔を支点として前記シールドを上下に揺動すると、この揺動に伴い前記連結体の固定部に圧接する圧接部を前記シールドに形成し、前記シールドの上下角度操作で前記シールドの位置を固定するように構成したことを特徴とするフェイスシールド。
【請求項２】
前記シールドの上縁部長手方向に沿って切込み部を形成し、前記シールドを上側に揺動したときに該切込み部の内側が使用者の頭部に着用した着用物の前面側に当接するように構成した請求項１記載のフェイスシールド。
【請求項３】
前記連結体は、前記テンプルに連結された固定部と、該固定部から前記嵌合凹部がわに向けて揺動自在に延長された留め具とを備え、該固定部に前記シールドの前記圧接部が圧接する被圧接部を設け、該留め具に、前記シールドの外面に重合する重合面部と、該重合面部の内側で前記シールドの前記貫通孔に貫通する前記嵌合凸部とを設けた請求項１記載のフェイスシールド。
【考案の詳細な説明】
【技術分野】
【０００１】
本考案は、飛沫感染防止用のフェイスシールドに係り、特に、シールドの装着角度を自由に変更することができるフェイスシールドに関するものである。
【背景技術】
【０００２】
飛沫感染を防止するフェイスシールド（防護マスク）が特許文献１に記載されている。このフェイスシールドは、眼鏡型のフレームにシールド（防護板）を装着した構成である。このフェイスシールドによると、眼鏡型のフレームに装着されているノーズパットの高さを調整可能にすることで、ノーズパットと共にシールドの高さも調整できるように構成したものである。
【０００３】
一方、シールドの角度を調整する構成が特許文献２に記載されている。このシールド（防災面）は、安全帽、作業帽等に取り着けるもので、安全帽等の側面に設けた回動装置に、シールドの左右両端部を回動自在に連結している。そして、この回動装置により、シールドを上下に揺動させた位置で固定する構成である。
【先行技術文献】
【特許文献】
【０００４】
【特許文献１】特許第５６６３６７７号公報
【特許文献２】実公平６-１９３０５号公報
【考案の概要】
【考案が解決しようとする課題】
【０００５】
特許文献１に記載のフェイスシールドは、眼鏡型フレームのノーズパットの高さを調整することで、シールドの高さを調整する。ところが、このフェイスシールドは、ノーズパットとシールドの高さを調整することは可能でも、シールドの角度を調整することはできない構成であった。
【０００６】
現在、フェイスシールドは、感染症予防のアイテムとして最も注目されている一つになっている。特に、眼鏡型フレームに装着されたフェイスシールドは、使用が極めて簡単であり、しかも眼鏡の上に重ねて装着することも可能になるので、医療従事者のみならず、学生や販売スタッフなど、極めて多くの使用者が増えている。
【０００７】
一方、眼鏡型フレームに装着されたフェイスシールドは、使用時の状況に応じてシールドの角度を調整することができない不都合があった。そのため、使用中に飲み物や食事をするたびに、フェイスシールドを外す必要があった。したがって、眼鏡型フレームに装着されるフェイスシールドは、特にシールドの角度を上下に調整可能になる構成が求められている。
【０００８】
特許文献２に記載のシールド（防災面）は、安全帽、作業帽等に取り着けた回動装置に回動自在に連結したものである。そのため、シールドの角度を調整すると共に、調整した位置で固定することも可能である。
【０００９】
ところが、この回動装置は、特に、アクリル板やガラス板等の比較的重量のあるシールドを操作して角度を調整する装置である。そのため、このシールドを調整するために、弾性材を介して止めるストッパ材や、このストッパ材を解除する構成などが必用になっている。したがって、回動装置の構成が複雑になり重量も重く、眼鏡型のフレームに装着したシールドの角度を調整するには適していない。
【００１０】
すなわち、眼鏡型のフレームに装着するシールドは、薄くて軽量のプラスチック製シールドが使用されている。そのため、この薄いシールドの操作で回動装置内のストッパ材を作動させることは極めて困難になる。このような薄いプラスチックを使用したシールドの角度を調整するには、この薄いシールドの操作でも簡単に角度調整できる構成が望ましい。
【００１１】
更に、特許文献２に記載のシールド（防災面）は、安全帽や作業帽の側面から安全帽等の前面にかけて取り付けた構成なので、シールドを安全帽等の上まで持ち上げることが可能になる。ところが、眼鏡型フレームに取り付けたシールドでは、眼鏡フレームの位置からシールドを持ち上げる構成上、シールドを持ち上げたときに帽子のつば等に当たる位置になっている。したがって、使用者が帽子を被っていると、この帽子が妨げになり、シールドを角度調整する範囲が小さくなる。この結果、フェイスシールドの角度を調整しても口元を十分に開くことができずに、飲食等が困難になる不都合が生じる。
【００１２】
そこで本考案は、上述の課題を解消すべく案出されたもので、眼鏡型フレームに取り付けたシールドの角度を容易に調整することが可能で、しかも、帽子等があっても食事等が可能になるフェイスシールドの提供を目的とするものである。
【課題を解決するための手段】
【００１３】
上述の目的を達成すべく本考案の第１の手段は、眼鏡フレームのブリッジ１１からテンプル１２までの構成を模した支持枠体１０と、
該支持枠体１０の左右のテンプル１２のブリッジ１１側に装着された連結体２０と、
該連結体２０に連結されるプラスチック製のシールド３０と、を備え、
ブリッジ１１側のテンプル１２外側面に嵌合凹部１３を形成すると共に、該嵌合凹部１３に嵌合する嵌合凸部２１を連結体２０に形成し、
該嵌合凸部２１が貫通する貫通孔３１を有するシールド３０をテンプル１２の外側面に着脱自在に連結するフェイスシールドにおいて、
前記嵌合凸部２１が貫通した前記貫通孔３１を支点として前記シールド３０を上下に揺動すると、該揺動に伴い前記連結体２０の固定部２２に圧接する圧接部３２を前記シールド３０に形成し、
前記シールド３０の上下角度操作で前記シールド３０の位置を固定するように構成したことにある。
【００１４】
第２の手段は、前記シールド３０の上縁部長手方向に沿って切込み部３３を形成し、前記シールド３０を上側に揺動したときに該切込み部３３の内側が使用者の頭部に着用した着用物の前面側に当接するように構成する。
【００１５】
第３の手段の前記連結体２０は、前記テンプル１２に連結された固定部２２と、該固定部２２から前記嵌合凹部１３がわに向けて揺動自在に延長された留め具２３とを備え、
該固定部２２に前記シールド３０の前記圧接部３２が圧接する被圧接部２２Ａを設け、該留め具２３に、前記シールド３０の外面に重合する重合面部２４と、該重合面部２４の内側で前記シールド３０の前記貫通孔３１に貫通する前記嵌合凸部２１とを設けたものである。
【考案の効果】
【００１６】
本考案の請求項１によると、嵌合凸部２１が貫通した前記貫通孔３１を支点として前記シールド３０を上下に揺動すると、該揺動に伴い前記連結体２０の固定部２２に圧接する圧接部３２を前記シールド３０に形成し、前記シールド３０の上下角度操作で前記シールド３０の位置を固定するように構成したことにより、眼鏡型フレームの支持枠体１０に取り付けたシールド３０の角度を簡単に調整することができる。
【００１７】
請求項２のごとく、シールド３０の上縁部長手方向に沿って切込み部３３を形成し、シールド３０を上側に揺動したときに該切込み部３３の内側が使用者の頭部に着用した着用物の前面側に当接するように構成しているので、使用者が帽子等を被っていても、シールド３０の上向き角度を大きくすることが可能になった。この結果、帽子等があっても飲食等が可能になる。
【００１８】
請求項３により、前記連結体２０は、前記テンプル１２に連結された固定部２２と、該固定部２２から前記嵌合凹部１３がわに向けて揺動自在に延長された留め具２３とを備え、該固定部２２に前記シールド３０の前記圧接部３２が圧接する被圧接部２２Ａを設け、該留め具２３に、前記シールド３０の外面に重合する重合面部２４と、該重合面部２４の内側で前記シールド３０の前記貫通孔３１に貫通する前記嵌合凸部２１とを設けたものであるから、軽量なシールド３０の操作で、角度調整したシールド３０の位置を確実に固定することができる。
【００１９】
このように本考案によると、眼鏡型フレーム取り付けたシールドの角度を簡単に調整することが可能で、しかも、帽子等があっても飲食等が可能になるなどといった当初の目的を達成した。
【図面の簡単な説明】
【００２０】
【図１】本考案の使用状態を示す斜視図である。
【図２】本考案の使用状態を示す側面図である。
【図３】本考案の連結体を示す要部斜視図である。
【図４】本考案の連結体の嵌合凸部を示す要部斜視図である。
【図５】本考案のシールドを示す正面図である。
【図６】本考案のシールドの角度を変更した状態を示す側面図である。
【考案を実施するための形態】
【００２１】
本考案を図示例に基づいて説明する。本考案の基本構成は、支持枠体１０と連結体２０とシールド３０とで構成する（図１参照）。
【００２２】
支持枠体１０は、眼鏡フレームのブリッジ１１からテンプル１２までの構成を模した、所謂、眼鏡型フレームと称するものである。図示例では、ブリッジ１１とテンプル１２とがヒンジ１４にて連結されている（図１参照）。
【００２３】
そして、ブリッジ１１側のテンプル１２外側面に嵌合凹部１３を形成すると共に、該嵌合凹部１３に嵌合する嵌合凸部２１を、後述する連結体２０に形成している（図４参照）。図示の嵌合凹部１３は、テンプル１２を貫通する孔状に形成し、テンプル１２の外側の凹部を嵌合凹部１３として使用するものである（図１参照）。また、テンプル１２を貫通しない嵌合凹部１３でもよい。
【００２４】
連結体２０は、この支持枠体１０のテンプル１２に装着される連結部材である（図３参照）。すなわち、連結体２０は、左右のテンプル１２に設けた嵌合凹部１３の近くに装着されており、この連結体２０で支持枠体１０にシールド３０を連結する。
【００２５】
この連結体２０は、固定部２２と留め具２３とを備えたものである。図示例では、帯状の固定部２２をテンプル１２に巻き付けて固定している（図３参照）。そして、テンプル１２の外側で、後述するシールド３０の圧接部３２が圧接する被圧接部２２Ａを固定部２２に設けている。図示の被圧接部２２Ａは、テンプル１２に巻き付けた固定部２２の先端側に形成されている。更に、この固定部２２から留め具２３が延長形成されている。
【００２６】
留め具２３は、固定部２２から嵌合凹部１３がわに向けて揺動自在に延長された部位である。この留め具２３に、シールド３０の外面に重合する重合面部２４を設けている（図４参照）。そして、この重合面部２４の内側に嵌合凸部２１を設けてあり、この嵌合凸部２１を支持枠体１０の嵌合凹部１３に嵌合する。この嵌合凸部２１は、後述するシールド３０の貫通孔３１を貫通してシールド３０を着脱自在に連結する。したがって、留め具２３は、重合面部２４の内側に重ねたシールド３０の貫通孔３１に嵌合凸部２１を挿通し、支持枠体１０にシールド３０を連結するものである。
【００２７】
シールド３０は、連結体２０に連結される薄くて軽いプラスチック製の板状部材である（図５参照）。このシールド３０の左右端部に貫通孔３１を形成している。この貫通孔３１を貫通した嵌合凸部２１を支持枠体１０の嵌合凹部１３に嵌合することで（図４参照）、支持枠体１０にシールド３０が連結される（図３参照）。このとき、シールド３０は、貫通孔３１を支点として上下に揺動自在になるように連結されている（図２参照）。
【００２８】
更に、シールド３０この貫通孔３１の近傍に圧接部３２を形成している（図５参照）。すなわち、嵌合凸部２１が貫通した貫通孔３１を支点としてシールド３０を上下に揺動すると、この揺動に伴って圧接部３２が連結体２０の被圧接部２２Ａに圧接するように形成したものである（図２、図３参照）。
【００２９】
このように、圧接部３２は、被圧接部２２Ａに常時圧接しているので、軽量なシールド３０を上下に揺動すると、この圧接部３２がシールド３０を揺動した位置で固定する（図２参照）。図示の圧接部３２は、シールド３０の端部を扇形に形成したもので、この扇形の円弧端部を圧接部３２としている（図５参照）。
【００３０】
そして、連結体２０を弾性のある合成樹脂材等で形成することにより、圧接部３２は連結体２０の被圧接部２２Ａに確実に圧接しながらも、シールド３０の操作が容易になる。しかも、圧接部３２が円弧状を成すことで、仮に、マスクＰを着用する場合でも、圧接部３２がマスクＰに引っかかるなどの不都合もない（図２参照）。
【００３１】
更に、このシールド３０には、シールド３０の上縁部長手方向に沿った切込み部３３が形成されている（図５参照）。そして、シールド３０を上側に揺動したときに該切込み部３３の内側が使用者の頭部に着用した着用物の前面側に当接するように形成している。そうすると、仮に、使用者が仮に帽子を被っていたとしても、シールド３０を上側に揺動したときに、この切込み部３３によって、シールド３０の上向き角度を大きくすることができる（図６参照）。この結果、使用者が帽子等を被っていても、シールド３０の角度を調整して飲食等が可能になるものである。
【００３２】
尚、本考案は図示例に限定されるものではなく、支持枠体１０、連結体２０、シールド３０の各構成は、本考案の要旨を変更しない範囲で任意に変更することができる。
【符号の説明】
【００３３】
Ｐ  マスク
１０  支持枠体
１１  ブリッジ
１２  テンプル
１３  嵌合凹部
２０  連結体
２１  嵌合凸部
２２  固定部
２２Ａ  被圧接部
２３  留め具
２４  重合面部
３０  シールド
３１  貫通孔
３２  圧接部
３３  切込み部
【図１】
0003231032.tif 000003
【図２】
0003231032.tif 000004
【図３】
0003231032.tif 000005
【図４】
0003231032.tif 000006
【図５】
0003231032.tif 000007
【図６】
0003231032.tif 000008
【手続補正書】
【提出日】令和2年11月10日(2020.11.10)
【手続補正１】
【補正対象書類名】実用新案登録請求の範囲
【補正対象項目名】請求項１
【補正方法】変更
【補正の内容】
【請求項１】
眼鏡フレームのブリッジからテンプルまでの構成を模した支持枠体と、該支持枠体の左右のテンプルのブリッジ側に装着された連結体と、該連結体に連結されるプラスチック製のシールドと、を備え、ブリッジ側のテンプル外側面に嵌合凹部を形成すると共に、嵌合凹部に嵌合する嵌合凸部を連結体に形成し、嵌合凸部が貫通する貫通孔を有するシールドをテンプルの外側面に着脱自在に連結するフェイスシールドにおいて、
前記嵌合凸部が貫通した前記貫通孔を支点として前記シールドを上下に揺動したときに、該揺動に伴い前記連結体の固定部に圧接する圧接部が前記シールドに形成され、前記シールドの上下角度操作で前記シールドの位置が固定されるように構成したことを特徴とするフェイスシールド。
【手続補正２】
【補正対象書類名】明細書
【補正対象項目名】００１３
【補正方法】変更
【補正の内容】
【００１３】
上述の目的を達成すべく本考案の第１の手段は、眼鏡フレームのブリッジ１１からテンプル１２までの構成を模した支持枠体１０と、
該支持枠体１０の左右のテンプル１２のブリッジ１１側に装着された連結体２０と、
該連結体２０に連結されるプラスチック製のシールド３０と、を備え、
ブリッジ１１側のテンプル１２外側面に嵌合凹部１３を形成すると共に、該嵌合凹部１３に嵌合する嵌合凸部２１を連結体２０に形成し、
該嵌合凸部２１が貫通する貫通孔３１を有するシールド３０をテンプル１２の外側面に着脱自在に連結するフェイスシールドにおいて、
前記嵌合凸部２１が貫通した前記貫通孔３１を支点として前記シールド３０を上下に揺動したときに、該揺動に伴い前記連結体２０の固定部２２に圧接する圧接部３２が前記シールド３０に形成され、
前記シールド３０の上下角度操作で前記シールド３０の位置が固定されるように構成したことにある。
【手続補正書】
【提出日】令和2年12月16日(2020.12.16)
【手続補正１】
【補正対象書類名】実用新案登録請求の範囲
【補正対象項目名】請求項１
【補正方法】変更
【補正の内容】
【請求項１】
眼鏡フレームのブリッジからテンプルまでの構成を模した支持枠体と、該支持枠体の左右のテンプルのブリッジ側に装着された連結体と、該連結体に連結されるプラスチック製のシールドと、を備え、ブリッジ側のテンプル外側面に嵌合凹部を形成すると共に、嵌合凹部に嵌合する嵌合凸部を連結体に形成し、嵌合凸部が貫通する貫通孔を有するシールドをテンプルの外側面に着脱自在に連結するフェイスシールドにおいて、前記ブリッジに連結する固定部が前記連結体に設けられ、前記シールドを上下に揺動したときに該固定部に圧接する圧接部が前記シールドに設けられ、固定部と圧接部とで前記シールドの上下揺動位置が固定されるように構成したことを特徴とするフェイスシールド。
【手続補正２】
【補正対象書類名】明細書
【補正対象項目名】００１３
【補正方法】変更
【補正の内容】
【００１３】
上述の目的を達成すべく本考案の第１の手段は、眼鏡フレームのブリッジ１１からテンプル１２までの構成を模した支持枠体１０と、該支持枠体１０の左右のテンプル１２のブリッジ１１側に装着された連結体２０と、該連結体２０に連結されるプラスチック製のシールド３０と、を備え、ブリッジ１１側のテンプル１２外側面に嵌合凹部１３を形成すると共に、該嵌合凹部１３に嵌合する嵌合凸部２１を連結体２０に形成し、該嵌合凸部２１が貫通する貫通孔３１を有するシールド３０をテンプル１２の外側面に着脱自在に連結するフェイスシールドにおいて、前記ブリッジ１１に連結する固定部２２が前記連結体２０に設けられ、前記シールド３０の上下の揺動に伴って該固定部２２に圧接する圧接部３２が前記シールド３０に設けられ、前記シールド３０の上下角度操作時に固定部２２と圧接部３２とで前記シールド３０の位置が固定されるように構成したことにある。